(57)【要約】【課題】  使用後に、ブラシの水切りを良くし、極めて簡単に且つ確実に清掃が達成でき、設置場所を取らず扱い易いようにすることにある。【解決手段】  周面に多数のブラシ毛１２を植設した厚板材１３の前記した周面の一部に、柄材１４の先端を連設すると共に、この柄材１４の先端部両側面に、厚板材１３の軸方向に突出する係合片１５を夫々突設したブラシ体１１と、周壁１７と底壁１８とから構成され、開放された上方から挿入される前記ブラシ体１１のブラシ毛１２先端が、底壁１８に当接しない位置で前記係合片１５が上方から係止する係合溝１９を、周壁１７の内面に対向して夫々刻設した収納容器１６、とから構成される。【選択図】        図１
2005021631.tif 000002
【特許請求の範囲】
【請求項１】
周面に多数のブラシ毛（１２）を植設した厚板材（１３）の前記周面の一部に、柄材（１４）の先端を連設すると共に、該柄材（１４）の先端部両側面に、前記厚板材（１３）の軸方向に突出する係合片（１５）を夫々突設したブラシ体（１１）と、
周壁（１７）と底壁（１８）とから構成され、開放された上方から挿入される前記ブラシ体（１１）のブラシ毛（１２）先端が、底壁（１８）に当接しない位置で前記係合片（１５）が上方から係止する係合溝（１９）を、前記周壁（１７）の内面に対向して夫々刻設した収納容器（１６）、
とから構成されることを特徴とする清掃用具。
【請求項２】
係合溝（１９）を、上方に向かって幅が拡大する傾斜形状としたことを特徴とする請求項１に記載の清掃用具。
【請求項３】
係合溝（１９）を、隣接して一対、刻設したことを特徴とする請求項２に記載の清掃用具。
【発明の詳細な説明】
【技術分野】
【０００１】
本発明は、ブラシ体と、収納容器とから構成される清掃用具に関する。
【背景技術】
【０００２】
主として便器を清掃する用具は、ブラシとその収納容器とから構成され、使用後に、ブラシの水切りを良くし、早期に乾燥させることができるように容器に収納し、例えば洗面室の片隅に設置していた。
【０００３】
その代表的な構成は例えば、有底長筒形状の容器に、先端にブラシ毛を植設した柄体の基端部分に鍔状の蓋板を周設したブラシ体を、容器の上端に蓋板の周縁を嵌め込むことにより組み付けるものである。
【０００４】
そしてこの組付け姿勢で、ブラシ毛の先端が底壁に当接しない長さに、容器の長さ及び柄体の長さが相対設定される。即ちブラシ毛の先端が底壁から浮いた状態にしておくことにより、使用後にブラシ毛に付着した水分の水切りを良くし、早期に乾燥させるのである。
【０００５】
本来この種の用具は小型である方が望ましく、特に収納容器が大型であると、洗面室やトイレ等の狭い空間では極めて邪魔な存在となる。
【０００６】
処が上記した従来例の構成では、蓋板は柄体の基端部近傍であるので蓋板とブラシ毛の先端との間隔が大きくなり、水切りを達成させるためには容器の筒壁の高さ幅が嵩み、大型化にならざるを得ない。
【０００７】
ここで、蓋板を柄体の先端部近傍に位置させれば、容器の筒壁の高さ幅を小さくすることができるが、柄体の基端部の重量が大きくなるためバランスが崩れ、倒れ易くなってしまい、そもそもブラシ体の先端部に蓋板が位置していたのでは、極めて操作しにくいものになってしまう。
【０００８】
【非特許文献１】意匠登録第８６８２７０号公報
【発明の開示】
【発明が解決しようとする課題】
【０００９】
よって本発明は、この従来の不満点を解消し要求に応えるべく発明された清掃用具であって、収納容器の小型化を目的とする。
【課題を解決するための手段】
【００１０】
上記課題を解決するため本発明は、周面に多数のブラシ毛を植設した厚板材の前記した周面の一部に、柄材の先端を連設すると共に、この柄材の先端部両側面に、前記した厚板材の軸方向に突出する係合片を夫々突設したブラシ体と、
周壁と底壁とから構成され、開放された上方から挿入されるブラシ体のブラシ毛先端が、底壁に当接しない位置で係合片が上方から係止する係合溝を、周壁の内面に対向して夫々刻設した収納容器、
とから構成されることを特徴とする構成である。
【００１１】
この場合、係合溝を、上方に向かって幅が拡大する傾斜形状とし、更に或いは係合溝を、隣接して一対、刻設した構成にする。
【発明の効果】
【００１２】
その結果、収納容器の小型化、スリム化が図れるので、設置箇所に場所を取らず、水切れや通気性に優れ、挿入組付けが容易であり、確実な乾燥が達成される衛生的である等、多くの優れた作用効果を奏する。
【発明を実施するための最良の形態】
【００１３】
ブラシ体１１は、周面に多数のブラシ毛１２を植設したほぼ円盤形状の厚板材１３の周面の一部に、先端部が弓なりに湾曲した柄材１４の先端を連設すると共に、この柄材１４の先端部の両側面に、厚板材１３の軸方向に突出する係合片１５を夫々突設した構成である。
【００１４】
図示実施例でこの係合片１５は、柄材１４の先端部を幅狭にして先方に面した段部を設けることにより形成する。
【００１５】
また、ブラシ毛１２は、柄材１４の先端が連設されている部分を除いて厚板材１３の周面全域に植設されているが、円盤形状の厚板材１３の中心に対して放射状としているので、ブラシ毛１２が厚板材１３の軸方向に延出することは殆どなく、また柄材１４の幅も係合片１５部分で若干突出しているだけであるので、ブラシ体１１は厚板材１３の肉厚分の幅に押さえられた、扁平でスリムな形状となっている。
【００１６】
次に収納容器１６は、周壁１７と底壁１８とから構成される上方が開放された有底筒形状であり、図示実施例では長軸が短軸の約2.3 倍の、平面視で略長円形状となった偏平な形態となっており、周壁１７の長軸を挟んで対向する夫々の内面には、柄材１４の係合片１５が上方から係止する係合溝１９が上下に沿って刻設されている。
【００１７】
この係合溝１９の上端は、上方に向かって幅が拡大する傾斜壁２０形状、また、係合溝１９の最下端が上方に面した係止段部２１になっていて上記した係合片１５が上方から係止するものであるが、この係止姿勢で、ブラシ体１１のブラシ毛１２先端が底壁１８に当接しないように、即ち図１、３から明らかなように、使用後のブラシ体１１の水切りを良くし、乾燥を促進させるため、ブラシ体１１のブラシ毛１２先端と係合片１５の間隔、及び底壁１８と段部２１の間隔が夫々設定される。
【００１８】
更にこの係合溝１９は、周壁１７の夫々の内面に於いて、隣接して一対、刻設しており、隣り合う係合溝１９の両傾斜壁２０によって山形段部２２が形成される。
【００１９】
従って上述した構成にあって、ブラシ体１１を収納容器１６の開放された上方から挿入すると、ブラシ体１１の最も側方に突出している部分である係合片１５部分が収納容器１６の内面に接しながら傾斜壁２０にガイドされて係合溝１９に係合し、更なる挿入下降により係合片１５は係止段部２１に乗載係止することになる。
【００２０】
また、前述したようにブラシ体１１も収納容器１６も偏平な形態であるため、ブラシ体１１の収納容器１６への挿入に際し、ブラシ体１１の厚板材１３の径方向と収納容器１６の長軸方向とが一致するように方向性が規制される。
【００２１】
ブラシ体１１の柄材１４の先端部が多少湾曲しているので、挿入時の向き姿勢によっては、ブラシ毛１２が収納容器１６の短軸にほぼ沿う幅狭な内面に当接してしまうからである。
【００２２】
そこで前述のように、係合溝１９を隣接して一対、刻設した構成とすれば、偏平なブラシ体１１を収納容器１６に対してどちらの向きから挿入しても、係合片１５は山形段部２２にガイドされ何れかの係合溝１９に係合することになり、挿入に際しての向きの位置合せを配慮する必要がない。
【００２３】
そして係合溝１９は、収納容器１６の周壁１７内面に上下に沿って刻設されているので、この係合溝１９に係合片１５を係合させることにより、ブラシ体１１の柄部１４をほぼ垂直姿勢に維持し、係合片１５がブラシ体１１の先端部であるにも拘らずバランスを崩して回動してしまうといったことがなく、それ故収納容器１６の高さ幅を最小限に抑えることができる。
【産業上の利用可能性】
【００２４】
図示実施例は主としてトイレブラシを想定したが、これに限られるものではなく、掃除用具としてのブラシ体に広範な利用が期待できる。
【図面の簡単な説明】
【００２５】
【図１】ブラシ体を収納した状態の容器の長軸方向に沿った断面図である。
【図２】本発明の容器の長軸方向に沿った断面図である。
【図３】ブラシ体を収納した状態の容器の短軸方向に沿った断面図である。
【図４】本発明の清掃用具の斜視図である。
【符号の説明】
【００２６】
１１    ブラシ体
１２    ブラシ毛
１３    厚板材
１４    柄材
１５    係合片
１６    収納容器
１７    周壁
１８    底壁
１９    係合溝
２０    傾斜壁
２１    係止段部
２２    山形段部
【図１】
2005021631.tif 000003
【図２】
2005021631.tif 000004
【図３】
2005021631.tif 000005
【図４】
2005021631.tif 000006